(57)【要約】【課題】黒映像が表示される期間のない映像表示を可能とし、フリッカを低減することができる技術を提供する。【解決手段】本発明の表示装置は、複数色の液晶素子を１画素として、マトリクス状に配置された複数の画素を有する液晶パネルと、複数の液晶素子に、入力された映像信号に応じた階調データを書き込む書き込み手段と、液晶素子の各色に対応する複数色のＬＥＤからなるバックライトと、を有し、書き込み手段は、一部の色の液晶素子に対する階調データの書き込み期間が他の少なくとも１色の液晶素子に対する階調データの書き込み期間に重ならないように、階調データを複数の液晶素子に書き込み、バックライトは、階調データの書き込み期間に、該階調データの書き込みが行われている液晶素子の色に対応する色のＬＥＤを消灯し、他の色のＬＥＤのうち少なくとも１色のＬＥＤを点灯する。【選択図】図１
2012150330.tif 000002
【特許請求の範囲】
【請求項１】
書き込まれた階調データに応じた階調値となるように駆動される複数色の液晶素子を１画素として、マトリクス状に配置された複数の画素を有する液晶パネルと、
前記複数の液晶素子に、入力された映像信号に応じた階調データを書き込む書き込み手段と、
前記液晶素子の各色に対応する複数色のＬＥＤからなるバックライトと、
を有し、
前記書き込み手段は、一部の色の液晶素子に対する階調データの書き込み期間が他の少なくとも１色の液晶素子に対する階調データの書き込み期間に重ならないように、前記階調データを前記複数の液晶素子に書き込み、
前記バックライトは、階調データの書き込み期間に、該階調データの書き込みが行われている液晶素子の色に対応する色のＬＥＤを消灯し、他の色のＬＥＤのうち少なくとも１色のＬＥＤを点灯することを特徴とする表示装置。
【請求項２】
前記バックライトは、１つ前のフレームの全ての色成分の映像の表示が終了したタイミングで、現在のフレームの階調データの書き込みが完了している少なくとも１色のＬＥＤを点灯する
ことを特徴とする請求項１に記載の表示装置。
【請求項３】
前記各色のＬＥＤの個数は、１フレーム期間あたりの発光量が色間で互いに等しくなるように設定されている
ことを特徴とする請求項１または２に記載の表示装置。
【請求項４】
前記表示装置は、右眼用の映像のフレームと左眼用の映像のフレームを交互に表示することにより立体映像を表示する時分割方式３Ｄディスプレイであり、
前記立体映像の視聴に使用するシャッター付めがねを制御する制御手段を更に有し、
前記制御手段は、
前記表示装置で前記立体映像を表示する際に、
左眼用の映像の少なくとも一部の色成分の映像を表示しているときには、左眼側のシャッターを開き、右眼側のシャッターを閉じ、
右眼用の映像の少なくとも一部の色成分の映像を表示しているときには、左眼側のシャッターを閉じ、右眼側のシャッターを開く
ように、前記シャッター付めがねを制御する
ことを特徴とする請求項１〜３のいずれか１項に記載の表示装置。
【請求項５】
前記書き込み手段は、各色の液晶素子に対する階調データの書き込みを順番に行う
ことを特徴とする請求項１〜４のいずれか１項に記載の表示装置。
【請求項６】
前記書き込み手段は、第１の色の全ての液晶素子に対する階調データの書き込みと第２の色の半分の液晶素子に対する階調データの書き込みを並列に行った後、第３の色の全ての液晶素子に対する階調データの書き込みと前記第２の色の残り半分の液晶素子に対する階調データの書き込みを並列に行う
ことを特徴とする請求項１〜４のいずれか１項に記載の表示装置。
【請求項７】
書き込まれた階調データに応じた階調値となるように駆動される複数色の液晶素子を１画素として、マトリクス状に配置された複数の画素を有する液晶パネルと、前記液晶素子の各色に対応する複数色のＬＥＤからなるバックライトと、を有する表示装置の制御方法であって、
一部の色の液晶素子に対する階調データの書き込み期間が他の少なくとも１色の液晶素
子に対する階調データの書き込み期間に重ならないように、前記複数の液晶素子に、入力された映像信号に応じた階調データを書き込むステップと、
階調データの書き込み期間に、該階調データの書き込みが行われている液晶素子の色に対応する色のＬＥＤを消灯し、他の色のＬＥＤのうち少なくとも１色のＬＥＤを点灯するステップと、
を有することを特徴とする表示装置の制御方法。
【発明の詳細な説明】
【技術分野】
【０００１】
本発明は、表示装置および表示装置の制御方法に関する。
【背景技術】
【０００２】
近年、３Ｄ（３次元）ディスプレイが実用化され、普及しつつある。液晶ディスプレイを用いた左右時分割方式３Ｄディスプレイでは、左眼用の映像（左眼映像）と右眼用の映像（右眼映像）とが交互に時分割で液晶ディスプレイに表示される。そして、映像表示に同期して、液晶シャッターメガネ（いわゆる「３Ｄメガネ」）の左眼と右眼のシャッターが交互に時分割で開閉される。すなわち、液晶ディスプレイが左眼映像を表示しているときには、左眼のシャッター（左眼シャッター）が開き、右眼のシャッター（右眼シャッター）が閉じる。液晶ディスプレイが右眼映像を表示しているときには、右眼シャッターが開き、左眼シャッターが閉じる。その結果、左眼映像だけが視聴者の左眼に、右眼映像だけが視聴者の右眼に取り込まれ、視聴者は、映像を立体的に認識することができる。
【０００３】
液晶ディスプレイでは、各液晶素子の階調値（画素値）を制御する駆動電圧をフレーム単位で書き換えることで、映像表示が行われる。そのため、駆動電圧の書き換え途中の期間においては、左眼映像と右眼映像とが混在（クロストーク）してしまう。そのような映像（左眼映像と右眼映像とがクロストークした映像）が視聴者に認識されることを防ぐために、従来は、駆動電圧の書き換え期間中に、左右両方の液晶シャッターを閉じていた。すなわち、視聴者には、時系列に、右眼映像、黒映像、左眼映像、黒映像、、、、のように映像が認識されていた。このため、フリッカが認識される課題や映像の輝度が低下する課題があった。
【０００４】
例えば、特許文献１に開示の方式では、液晶ディスプレイが、左眼映像と右眼映像とを交互に表示する。そして、液晶素子への左眼映像の駆動電圧の書き込みが完了してから、次の右眼映像の駆動電圧の書き込みが開始されるまでの期間のみ左眼シャッターが開かれる。液晶素子への右眼映像の駆動電圧の書き込みが完了してから、次の左眼映像の駆動電圧の書き込みが開始されるまでの期間のみ右眼シャッターが開かれる。
【０００５】
また、特許文献２には、左眼映像（または右眼映像）を赤色成分、緑色成分、青色成分の映像に分け、各色成分の映像を順次表示し、各色成分の映像の時間的な加法混色により、左眼映像（または右眼映像）を表示する方式が提案されている。特許文献２の方式によれば、二色以上の映像を同時に表示することがないため、カラーフィルターが不要となる。特許文献２の方式では、ＬＥＤバックライトの発光色を赤色、緑色、青色の間で切り換えることにより、映像の色が制御される。よって、カラーフィルターを有する液晶ディスプレイよりも透過率が向上し、輝度の低下が低減できる。
【先行技術文献】
【特許文献】
【０００６】
【特許文献１】特開２００９−１５２８９７号公報
【特許文献２】特開２００３−２５９３９５号公報
【発明の概要】
【発明が解決しようとする課題】
【０００７】
特許文献１の方式では、左眼映像（右眼映像）の駆動電圧の書き込みが完了するまでの期間、視聴者に黒映像が認識される。また、特許文献２の方式でも、駆動電圧の書き換え中の不完全な映像の表示を防ぐため、駆動電圧を書き替えている期間では、ＬＥＤバック
ライトが消灯される。例えば、赤色成分の映像を表示するための駆動電圧から緑色成分の映像を表示するための駆動電圧へ書き替える期間では、赤色成分と緑色成分の映像が混在する。よって、特許文献２の方式によっても、視聴者に黒映像が認識される期間は依然として存在し、フリッカが生じてしまう。
このように従来の左右時分割方式３Ｄディスプレイでは、表示映像に、視聴者に黒映像が認識される期間が含まれることにより、フリッカが認識される課題があった。
【０００８】
本発明は、黒映像が表示される期間のない映像表示を可能とし、フリッカを低減することができる技術を提供することを目的とする。
【課題を解決するための手段】
【０００９】
本発明の表示装置は、書き込まれた階調データに応じた階調値となるように駆動される複数色の液晶素子を１画素として、マトリクス状に配置された複数の画素を有する液晶パネルと、前記複数の液晶素子に、入力された映像信号に応じた階調データを書き込む書き込み手段と、前記液晶素子の各色に対応する複数色のＬＥＤからなるバックライトと、を有し、前記書き込み手段は、一部の色の液晶素子に対する階調データの書き込み期間が他の少なくとも１色の液晶素子に対する階調データの書き込み期間に重ならないように、前記階調データを前記複数の液晶素子に書き込み、前記バックライトは、階調データの書き込み期間に、該階調データの書き込みが行われている液晶素子の色に対応する色のＬＥＤを消灯し、他の色のＬＥＤのうち少なくとも１色のＬＥＤを点灯することを特徴とする。
【００１０】
本発明の画像表示装置の制御方法は、書き込まれた階調データに応じた階調値となるように駆動される複数色の液晶素子を１画素として、マトリクス状に配置された複数の画素を有する液晶パネルと、前記液晶素子の各色に対応する複数色のＬＥＤからなるバックライトと、を有する表示装置の制御方法であって、一部の色の液晶素子に対する階調データの書き込み期間が他の少なくとも１色の液晶素子に対する階調データの書き込み期間に重ならないように、前記複数の液晶素子に、入力された映像信号に応じた階調データを書き込むステップと、階調データの書き込み期間に、該階調データの書き込みが行われている液晶素子の色に対応する色のＬＥＤを消灯し、他の色のＬＥＤのうち少なくとも１色のＬＥＤを点灯するステップと、を有することを特徴とする。
【発明の効果】
【００１１】
本発明によれば、黒映像が表示される期間のない映像表示を可能とし、フリッカを低減することができる。
【図面の簡単な説明】
【００１２】
【図１】実施例１，２に係る３Ｄディスプレイシステムの構成の一例を示す図。
【図２】実施例１に係る液晶パネルの構成の一例を示す図。
【図３】実施例１に係る表示装置の動作の一例を示す図。
【図４】実施例２に係る液晶パネルの構成の一例を示す図。
【図５】実施例２における各色の階調データの書き込み期間の一例を示す図。
【図６】実施例２に係る表示装置の動作の一例を示す図。
【発明を実施するための形態】
【００１３】
＜実施例１＞
アクティブマトリクス型液晶ディスプレイの高画素化、高精細化、小型化により、ドライバＩＣの実装が困難となっている。そこで、１ピクセル（１画素）を構成するＲサブピクセル、Ｇサブピクセル、Ｂサブピクセルの３サブピクセルが１本のデータ信号線を共有し、ドライバＩＣがそのデータ信号線を介してＲ、Ｇ、Ｂサブピクセルを時分割に駆動する方式が提案されている。ここで、Ｒサブピクセルは赤色液晶素子（赤色成分の光を選択
的に透過する液晶素子）、Ｇサブピクセルは緑色液晶素子、Ｂサブピクセルは青色液晶素子である。
また、ＲＧＢ時分割駆動方式では、アクティブマトリクス型液晶ディスプレイ１画面内の全Ｒサブピクセルに、全サブピクセルに駆動電圧（階調データ）を書き込むのに要する時間の１／３の時間で階調データを書き込むことができる。１画面内のＧサブピクセル、Ｂサブピクセルに対しても、同様に１／３の時間で階調データを書き込むことができる。本実施例では、このＲＧＢ時分割駆動方式により駆動されるアクティブマトリクス型液晶ディスプレイを用いる。
【００１４】
図１に、実施例１に係る左右時分割方式３Ｄディスプレイシステムの構成を示す。３Ｄディスプレイシステムは、大まかに、表示装置１０１と液晶シャッター付めがね１３１から構成されている。表示装置１０１は右眼用の映像（右眼映像）のフレームと左眼用の映像（左眼映像）のフレームを交互に表示することにより立体映像を表示する時分割方式３Ｄディスプレイである。表示装置１０１の表示映像に合わせて立体映像の視聴に使用する液晶シャッター付めがね１３１の左眼と右眼のシャッターが制御される。それにより、液晶シャッター付めがね１３１を装着している視聴者（不図示）の左眼には左眼映像が入力され、右眼には右眼映像が入力される。
【００１５】
表示装置１０１の構成を説明する。
信号入力部１１１は、入力された映像信号１４１をフレームメモリ部１１２へ書き込む。
フレームメモリ部１１２は、映像信号を一時的に記憶する記憶媒体である。
液晶駆動信号生成部１１３は、フレームメモリ部１１２から液晶素子の駆動に適した順番で映像信号を読み出し、液晶パネル１１８（液晶素子）を駆動するための走査信号およびデータ信号を生成する。さらに、液晶駆動信号生成部１１３は、液晶パネル１１８で表示する映像に応じて、液晶シャッター付めがね１３１を制御する。
【００１６】
走査信号駆動部１１４は、走査信号線１１５を介して液晶パネル１１８に走査信号（選択電圧）を入力する。
データ信号駆動部１１６は、データ信号線１１７を介して液晶パネル１１８にデータ信号（階調データ；駆動電圧）を入力する。
走査信号駆動部１１４とデータ信号駆動部１１６により、後述する液晶パネル１１８が有する複数の液晶素子に、入力された映像信号に応じた階調データが書き込まれる。
【００１７】
液晶パネル１１８は、マトリクス状に配置された複数の画素を有する。１画素は、書き込まれた階調データに応じた階調値となるように駆動される複数色の液晶素子からなる。本実施例では、１画素がＲサブピクセル、Ｇサブピクセル、Ｂサブピクセルから構成されているものとする。
ＬＥＤバックライト部１２０は、液晶素子の各色に対応する複数色のＬＥＤからなるバックライトである。本実施例では、ＬＥＤバックライト部１２０は、赤色ＬＥＤ、緑色ＬＥＤ、青色ＬＥＤからなり、液晶パネル１１８を裏側から照らす。各ＬＥＤから発せられた光は、対応する色の液晶素子を透過する。そのため、液晶パネル１１８には、点灯しているＬＥＤの色に対応する色成分の映像が表示される。
ＬＥＤ制御部１１９は、液晶パネル１１８で表示する映像（液晶素子の駆動状態）に応じて、ＬＥＤバックライト部１２０の発光色を切り換える。具体的には、各色のＬＥＤの点灯、消灯を切り換える。本実施例では、液晶駆動信号生成部１１３の動作に応じて各ＬＥＤの点灯、消灯が切り換えられる。
なお、前述の通り、走査信号駆動部１１４、データ信号駆動部１１６、液晶パネル１１８は、ＲＧＢ時分割駆動が可能な構成とする。
【００１８】
液晶パネル１１８の構成を説明する。図２は、液晶パネル１１８の画素構成を模式的に表した図である。図２は、液晶パネル１１８が、横６４０、縦４８０個の画素（ピクセル）を有する場合の例である。走査信号駆動部１１４と液晶パネル１１８は、４８０×３＝１４４０本の走査信号線（走査信号線０ｒ、走査信号線０ｇ、走査信号線０ｂ、走査信号線１ｒ、走査信号線１ｇ、走査信号線１ｂ、走査信号線２ｒ、走査信号線２ｇ、走査信号線２ｂ、、、走査信号線４７８ｂ、走査信号線４７９ｒ、走査信号線４７９ｇ、走査信号線４７９ｂ）により接続されている。データ信号駆動部１１６と液晶パネル１１８は、６４０本のデータ信号線（データ信号線０、データ信号線１、データ信号線２、、、データ信号線６３９）により接続されている。
【００１９】
実施例１に係る液晶パネルの駆動方法について説明する。
まず、走査信号駆動部１１４が、走査信号線を順次選択する（走査信号線に順次選択電圧を印加する）。選択された走査信号線に接続されたサブピクセルは階調データの書き込みが可能な状態となる。次に、液晶駆動信号生成部１１３が選択されたサブピクセル（選択された走査信号線に接続されたサブピクセル）の階調データをフレームメモリ部１１２から読み出す。そして、データ信号駆動部１１６が、該階調データ（駆動電圧）を、データ信号線を介して選択されたサブピクセルに書き込む。
【００２０】
本実施例では、走査信号駆動部１１４とデータ信号駆動部１１６により、一部の色の液晶素子に対する階調データの書き込み期間が他の少なくとも１色の液晶素子に対する階調データの書き込み期間に重ならないように、階調データが複数の液晶素子に書き込まれる。具体的には、各色の液晶素子に対する階調データの書き込みが順番に行われる。以下、より詳細に説明する。
【００２１】
まず、走査信号駆動部１１４は、走査信号線０ｒを選択する（走査信号線０ｒに選択電圧を印加する）。それにより、走査信号線０ｒに接続された６４０個のＲサブピクセル（Ｒ０−０、Ｒ０−１、Ｒ０−２、、、Ｒ０−６３９）が階調データの書き込みが可能な状態となる。次に、液晶駆動信号生成部１１３が、表示する映像（フレーム）の第０ラインのＲ階調データ（赤色成分の階調データ）をフレームメモリ部１１２から読み出し、データ信号駆動部１１６へ送信する。そして、データ信号駆動部１１６は、Ｒ階調データに応じた駆動電圧を、データ信号線０〜データ信号線６３９を介して、走査信号線０ｒに接続された６４０個のＲサブピクセルに書き込む。所定期間後、走査信号駆動部１１４は、走査信号線０ｒの選択を停止する。以上で、第０ラインのＲサブピクセルへの階調データの書き込みが完了する。
ここで、第０ラインは、図２におけるサブピクセルＲ０−０、Ｒ０−１、Ｒ０−２、、、Ｒ０−６３９とＧ０−０、Ｇ０−１、Ｇ０−２、、、Ｇ０−６３９とＢ０−０、Ｂ０−１、Ｂ０−２、、、Ｂ０−６３９とにより構成される映像ラインである。第１ラインから第４７９ラインについても同様の定義とする。
【００２２】
第０ラインのＲサブピクセルに対する処理と同様の処理を第１ラインから第４７９ラインのＲサブピクセルに対して順次行うことにより、全Ｒサブピクセルへの階調データの書き込みが完了する。
Ｇサブピクセル、Ｂサブピクセルに対しても、Ｒサブピクセルと同様の方法で階調データが書き込まれる。
【００２３】
全Ｒサブピクセルへの階調データの書き込み、全Ｇサブピクセルへの階調データの書き込み、全Ｂサブピクセルへの階調データの書き込みをそれぞれ１回行うことにより、液晶パネル１１８を構成する全サブピクセルへの階調データの書き込みが完了する。それにより、１フレーム分の映像が表示可能となる。
また、全体の１／３の走査信号線（走査信号線０ｒ、１r、、、４７９ｒ）により、全
Ｒサブピクセルを選択できることから、全サブピクセルに階調データを書き込むのに要する時間の１／３の時間で、全Ｒサブピクセルに階調データが書き込める。同様に、全サブピクセルに階調データを書き込むのに要する時間の１／３の時間で、全Ｇサブピクセルに階調データが書き込める。全サブピクセルに階調データを書き込むのに要する時間の１／３の時間で、全Ｂサブピクセルに階調データが書き込める。
【００２４】
図３に、実施例１における、表示装置１０１の動作、表示装置１０１が表示する映像、液晶シャッター付めがね１３１の動作および視聴者が知覚する映像の関係を示す。図３は、右眼映像のｎ−１番目のフレーム、左眼映像のｎ番目のフレーム、右眼映像のｎ番目のフレーム、左眼映像のｎ＋１番目のフレームを、時系列に表示する場合の例である。
表示装置動作３０１は、図１における表示装置１０１の動作を示す。
Ｒ液晶画素３１１は、図１における液晶パネル１１８が有するＲサブピクセルを示す。Ｇ液晶画素３１３はＧサブピクセル、Ｂ液晶画素３１５はＢサブピクセルを示す。
Ｒ−ＬＥＤ３１２は、図１おけるＬＥＤバックライト部１２０の赤色ＬＥＤを示す。Ｇ−ＬＥＤ３１４は緑色ＬＥＤ、Ｂ−ＬＥＤ３１６は青色ＬＥＤを示す。
表示映像３２１は、図１における表示装置１０１で表示される映像である。
液晶シャッター付めがね制御３３１は、図１における液晶シャッター付めがね１３１に対する制御である。
左眼シャッター３４１は、図１における液晶シャッター付めがね１３１の左眼用シャッターである。
右眼シャッター３４２は、図１における液晶シャッター付めがね１３１の右眼用シャッターである。
視聴者知覚映像３５１は、視聴者が実際に感じ取る（知覚する）映像である。具体的には、表示装置１０１が表示する映像であって、液晶シャッター付めがね１３１を通って、視聴者の網膜上に投影される映像である。
【００２５】
以下、図３を用いて、表示装置１０１の動作、表示装置１０１が表示する映像、液晶シャッター付めがね１３１の動作および視聴者が知覚する映像の関係を説明する。左眼映像のｎ番目のフレームの表示に関わる期間Ｔ３７１〜Ｔ３８３内の各期間における動作について説明する。
【００２６】
（期間Ｔ３７１〜Ｔ３７２）
時刻Ｔ３７１において、Ｒ液晶画素３１１への左眼映像のｎ番目のフレームの階調データの書き込みが開始される。具体的には、階調データが、右眼映像のｎ−１番目のフレームの階調データから、左眼映像のｎ番目のフレームの階調データに書き換えられる。該書き込み（書き換え）は、時刻Ｔ３７２に完了する。よって、期間Ｔ３７１〜Ｔ３７２にＲ液晶画素３１１によって表示される映像は、右眼映像のｎ−１番目のフレームと左眼映像のｎ番目のフレームとが混在する映像となる。時刻Ｔ３７２以降は、Ｒ液晶画素３１１は、左眼映像のｎ番目のフレームの階調データだけを保持する状態となる。
【００２７】
本実施例では、ＬＥＤバックライト部１２０は、階調データの書き込み期間に、該階調データの書き込みが行われている液晶素子の色に対応する色のＬＥＤを消灯し、他の色のＬＥＤを点灯する。具体的には、ＬＥＤバックライト部１２０は、そのような点灯、消灯が行われるように、ＬＥＤ制御部１１９によって制御される。そのため、期間Ｔ３７１〜Ｔ３７２では、Ｒ−ＬＥＤ３１２は消灯状態とされる。そして、Ｇ−ＬＥＤ３１４、Ｂ−ＬＥＤ３１６は点灯状態とされる。ＬＥＤは波長分布が狭い光を発する光源であるから、Ｇ−ＬＥＤ３１４およびＢ−ＬＥＤ３１６からの光は、Ｒ液晶画素３１１（Ｒ液晶画素３１１に密着している赤色カラーフィルター（図示せず））を透過しない。そのため、階調データの書き込み途中のＲ映像（赤色成分の映像；Ｒ液晶画素３１１を駆動し、Ｒ−ＬＥＤ３１２を点灯させることによって表示される映像）は、表示映像３２１に含まれない。
【００２８】
このとき、Ｇ液晶画素３１３とＢ液晶画素３１５には、右眼映像のｎ−１番目のフレームの階調データが書き込まれている。そのため、表示映像３２１は、右眼映像のｎ−１番目のフレームのＧ映像とＢ映像が合成された映像となる。Ｇ映像は、緑色成分の映像（Ｇ液晶画素３１３を駆動し、Ｇ−ＬＥＤ３１４を点灯させることによって表示される映像）である。Ｂ映像は、青色成分の映像（Ｂ液晶画素３１５を駆動し、Ｂ−ＬＥＤ３１６を点灯させることによって表示される映像）である。
左眼シャッター３４１は閉状態、右眼シャッター３４２は開状態である。
【００２９】
（期間Ｔ３７２〜Ｔ３７３）
期間Ｔ３７２〜Ｔ３７３では、Ｒ液晶画素３１１は、左眼映像のｎ番目のフレームの階調データを保持している。
本実施例では、ＬＥＤバックライト部１２０は、１つ前のフレームの全ての色成分の映像の表示が終了したタイミングで、現在のフレームの階調データの書き込みが完了している少なくとも１色のＬＥＤを点灯する。時刻Ｔ３７３までは、表示映像３２１として右眼映像のｎ−１番目のフレームの映像が表示される。具体的には、期間Ｔ３７２〜Ｔ３７３では、表示映像３２１は、右眼映像のｎ−１番目のフレームのＢ映像となる。そのため、Ｒ−ＬＥＤ３１２は消灯状態とされ、Ｒ映像は表示映像３２１に含まれない。Ｒ−ＬＥＤ３１２を消灯状態とするのは、右眼映像と左眼映像（現在のフレームの映像と１つ前のフレームの映像）の混在を防ぐためである。
Ｇ液晶画素３１３は、期間Ｔ３７１〜Ｔ３７２におけるＲ液晶画素３１１と同様に、左眼映像のｎ番目のフレームの階調データの書き込み中である。Ｇ−ＬＥＤ３１４は、期間Ｔ３７１〜Ｔ３７２におけるＲ−ＬＥＤ３１１と同様に、消灯状態とされる。そのため、書き込み途中のＧ映像は、表示映像３２１に含まれない。
左眼シャッター３４１は閉状態、右眼シャッター３４２は開状態である。
【００３０】
（期間Ｔ３７３〜Ｔ３７４）
期間Ｔ３７３〜Ｔ３７４では、Ｒ液晶画素３１１は、左眼映像のｎ番目のフレームの階調データを保持している。また、Ｒ−ＬＥＤ３１２は、時刻Ｔ３７３から点灯される。それにより、Ｒ映像が、表示映像３２１に含まれる。
Ｇ液晶画素３１３は、期間Ｔ３７２〜Ｔ３７３におけるＲ液晶画素３１１と同様に、左眼映像のｎ番目のフレームの階調データを保持している。Ｇ−ＬＥＤ３１４は、期間Ｔ３７２〜Ｔ３７３におけるＲ−ＬＥＤ３１１と同様に、消灯しており、Ｇ映像は、表示映像３２１に含まれない。
Ｂ液晶画素３１５は、期間Ｔ３７１〜Ｔ３７２におけるＲ液晶画素３１１と同様に、左眼映像のｎ番目のフレームの階調データの書き込み中である。Ｂ−ＬＥＤ３１６は、期間Ｔ３７１〜Ｔ３７２におけるＲ−ＬＥＤ３１２と同様に、消灯状態とされる。そのため、書き込み途中のＢ映像は、表示映像３２１に含まれない。
よって、期間Ｔ３７３〜Ｔ３７４では、表示映像３２１は、左眼映像のｎ番目のフレームのＲ映像となる（図３における符号３６１）。すなわち、時刻Ｔ３７３で、表示映像３２１が右眼映像のｎ−１番目のフレームの映像から左眼映像のｎ番目のフレームの映像へ切り換えられる。
時刻Ｔ３７３において、左眼シャッター３４１は開状態、右眼シャッター３４２は閉状態となる。
【００３１】
（期間Ｔ３７４〜Ｔ３７５）
期間Ｔ３７４〜Ｔ３７５では、Ｒ液晶画素３１１は、左眼映像のｎ番目のフレームの階調データを保持している。Ｒ−ＬＥＤ３１２は、点灯している。
Ｇ液晶画素３１３は、左眼映像のｎ番目のフレームの階調データを保持している。Ｇ−ＬＥＤ３１４は、期間Ｔ３７３〜Ｔ３７４におけるＲ−ＬＥＤ３１２と同様に、時刻Ｔ３
７４から点灯される。それにより、Ｇ映像が表示映像３２１に含まれる。
Ｂ液晶画素３１５は、期間Ｔ３７２〜Ｔ３７３におけるＲ液晶画素３１１と同様に、左眼映像のｎ番目のフレームの階調データを保持している。Ｂ−ＬＥＤ３１６は、期間Ｔ３７２〜Ｔ３７３におけるＲ−ＬＥＤ３１２と同様に、消灯しており、Ｂ映像は表示映像３２１に含まれない。
よって、期間Ｔ３７４〜Ｔ３７５では表示映像３２１は、左眼映像のｎ番目のフレームのＲ映像とＧ映像とが合成された映像となる（図３における符号３６２）。
左眼シャッター３４１は開状態、右眼シャッター３４２は閉状態である。
【００３２】
（期間Ｔ３７５〜Ｔ３８１）
期間Ｔ３７５〜Ｔ３８１では、Ｒ液晶画素３１１は、左眼映像のｎ番目のフレームの階調データを保持している。Ｒ−ＬＥＤ３１２は、点灯している。
Ｇ液晶画素３１３は、左眼映像のｎ番目のフレームの階調データを保持している。Ｇ−ＬＥＤ３１４は、点灯している。
Ｂ液晶画素３１５は、左眼映像のｎ番目のフレームの階調データを保持している。Ｂ−ＬＥＤ３１６は、期間Ｔ３７３〜Ｔ３７４におけるＲ−ＬＥＤ３１２と同様に、時刻Ｔ３７５から点灯される。それにより、Ｂ映像が表示映像３２１に含まれる。
よって、期間Ｔ３７５〜Ｔ３８１では、表示映像３２１は、左眼映像のｎ番目のフレームのＲ映像、Ｇ映像、Ｂ映像が合成された映像となる（図３における符号３６３）。
左眼シャッター３４１は開状態、右眼シャッター３４２は閉状態である。
【００３３】
（期間Ｔ３８１〜３８２）
時刻Ｔ３８１において、Ｒ液晶画素３１１への右眼映像のｎ番目のフレームの階調データの書き込みが開始される。具体的には、階調データが、左眼映像のｎ番目のフレームの階調データから、右眼映像のｎ番目のフレームの階調データに書き換えられる。該書き込み（書き換え）は、時刻Ｔ３８２に完了する。よって、期間Ｔ３８１〜Ｔ３８２にＲ液晶画素３１１によって表示される映像は、左眼映像のｎ番目のフレームと右眼映像のｎ番目のフレームとが混在する映像となる。時刻Ｔ３８２以降は、Ｒ液晶画素３１１は、右眼映像のｎ番目のフレームの階調データだけを保持する状態となる。期間Ｔ３８１〜Ｔ３８２では、Ｒ−ＬＥＤ３１２は消灯状態とされる。そのため、書き込み途中のＲ映像は、表示映像３２１に含まれない。
Ｇ液晶画素３１３は、左眼映像のｎ番目のフレームの階調データを保持している。Ｇ−ＬＥＤ３１４は、点灯している。
Ｂ液晶画素３１５は、左眼映像のｎ番目のフレームの階調データを保持している。Ｂ−ＬＥＤ３１６は、点灯している。
よって、期間Ｔ３８１〜３８２では、表示映像３２１は、左眼映像のｎ番目のフレームのＧ映像とＢ映像が合成された映像となる（図３における符号３６４）。
左眼シャッター３４１は開状態、右眼シャッター３４２は閉状態である。
【００３４】
（期間Ｔ３８２〜Ｔ３８３）
期間Ｔ３８２〜Ｔ３８３では、Ｒ液晶画素３１１は、右眼映像のｎ番目のフレームの階調データを保持している。また、Ｒ−ＬＥＤ３１２は消灯状態とされ、Ｒ映像は表示映像３２１に含まれない。Ｒ−ＬＥＤ３１２を消灯状態とするのは、期間Ｔ３７２〜Ｔ３７３と同様に左眼映像と右眼映像の混在を防ぐためである。
Ｇ液晶画素３１３は、期間Ｔ３８１〜Ｔ３８２におけるＲ液晶画素３１１と同様に、右眼映像のｎ番目のフレームの階調データの書き込み中である。Ｇ−ＬＥＤ３１４は、期間Ｔ３８１〜Ｔ３８２におけるＲ−ＬＥＤ３１２と同様に、消灯状態とされる。
Ｂ液晶画素３１５は、左眼映像のｎ番目のフレームの階調データを保持している。Ｂ−ＬＥＤ３１６は、点灯している。
よって、期間Ｔ３８１〜３８２では、表示映像３２１は、左眼映像のｎ番目のフレーム
のＢ映像となる（図３における符号３６５）。
左眼シャッター３４１は開状態、右眼シャッター３４２は閉状態である。
【００３５】
期間Ｔ３７１〜Ｔ３８３において、前述の動作を行うことにより、期間Ｔ３７３〜Ｔ３８３において左眼映像のｎ番目のフレームの映像を表示することができる。そして、期間Ｔ３８１〜Ｔ３９３において、期間Ｔ３７１〜Ｔ３８３における動作と同様の動作（左右を逆転させた動作）を行うことにより、期間Ｔ３８３〜Ｔ３９３において右眼映像のｎ番目のフレームの映像を表示することができる。この動作を繰り返し行うことにより、黒映像がフレーム間に表示されることなく、左眼映像と右眼映像を切り換えながら表示することができる。具体的には、左眼映像のｎ番目のフレーム、右眼映像のｎ番目のフレーム、左眼映像のｎ＋１番目のフレーム、右眼映像のｎ＋１番目のフレーム、、、のように、左眼映像と右眼映像を切り換えながら、表示することができる。
【００３６】
ここで、視聴者知覚映像について説明する。上述したように、時刻Ｔ３７３に、左眼シャッター３４１は閉状態から開状態へ、右眼シャッター３４２は開状態から閉状態へ切り換えられる。そして、期間Ｔ３７３〜Ｔ３８３では、左眼シャッター３４１は開状態とされ、右眼シャッター３４２は閉状態とされる。よって、期間Ｔ３７３〜Ｔ３８３において、表示装置１０１が表示する映像（左眼映像のｎ番目のフレームの映像）が、視聴者の左眼の網膜上に投影される。期間Ｔ３７３〜Ｔ３８３では、表示映像３２１は、符号３６１〜３６５に示すように変化する。視聴者は、符号３６１〜３６５で示す映像の時間的な合成映像を、左眼用の映像として知覚する。また、期間Ｔ３８３〜Ｔ３９３では、右眼映像のｎ番目のフレームの映像が表示されており、この映像は視聴者の右眼の網膜上に投影されることとなる。
このように、本実施例では、左眼用の映像の少なくとも一部の色成分の映像が表示されているときには、左眼側のシャッターが開かれ、右眼側のシャッターが閉じられる。そして、右眼用の映像の少なくとも一部の色成分の映像が表示されているときには、左眼側のシャッターが閉じられ、右眼側のシャッターが開かれる。それにより、両方のシャッターが同時に閉じることが無くなるため、両方のシャッターを同時に閉じることにより視聴者に黒映像が知覚されることを無くすことができる。また、視聴者の左眼には左眼映像、右眼には右眼映像が入力されるため、視聴者は違和感なく立体映像を視聴することができる。
【００３７】
以上述べたように、本実施例によれば、階調データの書き込み期間に、該階調データの書き込みが行われている液晶素子の色に対応する色のＬＥＤが消灯される。それにより、時間的に連続する２フレーム（左眼映像のフレームと右眼映像のフレーム）が混在された映像の表示を低減することができる。
また、本実施例によれば、一部の色の液晶素子に対する階調データの書き込み期間が他の少なくとも１色の液晶素子に対する階調データの書き込み期間に重ならないように、階調データが複数の液晶素子に書き込まれる。そして、階調データの書き込み期間に、該階調データの書き込みが行われている液晶素子の色以外の色のＬＥＤのうち少なくとも１色のＬＥＤが点灯される。それにより、常にバックライトが点灯され、フレーム間に黒映像が挿入されることなく、入力された映像信号に基づく映像を表示することができる。即ち、黒映像が表示される期間のない映像表示が可能となり、フリッカを低減することができる。
【００３８】
また、本実施例によれば、１つ前のフレームの全ての色成分の映像の表示が終了したタイミングで、現在のフレームの階調データの書き込みが完了している少なくとも１色のＬＥＤが点灯される。それにより、時間的に連続する２フレーム（左眼映像のフレームと右眼映像のフレーム）が混在された映像の表示をより低減することができる。
また、本実施例によれば、左眼シャッターと右眼シャッターが両方閉じる期間が無いた
め、常に視聴者の右眼または左眼に映像を入力することができる。その結果、図３の視聴者知覚映像３５１に示すように、黒映像が知覚される期間がなく、フリッカを低減することができる。
また、映像の赤色成分が視聴者に知覚される期間（Ｒ映像の表示期間）は、１フレーム当たり、１フレーム期間の２／３である。従来技術において、黒映像が視聴者に知覚される期間を１フレーム当たり１フレーム期間の１／２とすると、映像の赤色成分が視聴者に知覚される期間は、１フレーム当たり１フレーム期間の１／２となる。よって、本実施例では、赤色成分の輝度が、従来技術の４／３倍となる。緑色成分の輝度、青色成分の輝度も同様である。したがって、本実施例によれば、視聴者が知覚する映像の輝度を向上させることができる。
【００３９】
なお、本実施例では、右眼画像及び左眼画像からなる立体映像を表示する構成について説明したが、表示する映像は立体映像でなくてもよい（２次元映像であってもよい）。表示する映像が立体映像でなくても、上述した作用効果を得ることができる。
また、本実施例における表示装置１０１の動作を一部変更し、下記のように実施することも可能である。
変更の一例として、期間Ｔ３７３〜Ｔ３７４において、Ｇ−ＬＥＤ３１４を点灯させてもよい（左眼映像のｎ番目のフレームのＧ映像を表示してもよい）。これは、該期間において、表示映像３２１として、左眼映像のｎ番目のフレームの映像が表示されるため、Ｇ−ＬＥＤ３１４を点灯させても、右眼映像と左眼映像は混在しないためである。
別の変更の一例として、期間Ｔ３７４〜Ｔ３７５において、Ｂ−ＬＥＤ３１６を点灯させてもよい（左眼映像のｎ番目のフレームのＢ映像を表示してもよい）。これは、該期間において、表示映像３２１として、左眼映像のｎ番目のフレームの映像が表示されるため、Ｂ−ＬＥＤ３１６を点灯させても、右眼映像と左眼映像は混在しないためである。
上記変更例の片方または双方を実施した場合、赤色成分の輝度、緑色成分の輝度、青色成分の輝度が均一ではないため、表示映像のホワイトバランスは変化してしまう。そのため、各色のＬＥＤの個数やＬＥＤ１個当たりの発光量を調整することにより、各色の１フレーム期間当たりの発光量が、色間で互いに等しくなるように設定されていることが好ましい。例えば、上記変更例の双方を実施した場合、Ｇ、Ｂ映像の表示期間はＲ映像の表示期間よりも長くなる。そのため、各色の１個のＬＥＤの単位時間当たりの発光量が等しい場合には、全ＬＥＤの個数に対する緑色ＬＥＤと青色ＬＥＤの個数比を、赤色ＬＥＤの個数比よりも少なく設定すればよい。
【００４０】
＜実施例２＞
実施例２では、液晶パネル１１８の構成が実施例１とは異なるアクティブマトリクス型液晶ディスプレイを用いた実施例を示す。実施例２に係る左右時分割方式３Ｄディスプレイシステムの構成は、実施例１と同じく図１に示す通りである。ただし、走査信号駆動部１１４、走査信号線１１５、データ信号駆動部１１６、データ信号線１１７、液晶パネル１１８は、図４に示す構成とする。
【００４１】
実施例２の構成について、実施例１とは異なる点（走査信号駆動部１１４、走査信号線１１５、データ信号駆動部１１６、データ信号線１１７、液晶パネル１１８）を中心に、図４を用いて、説明する。図４は、液晶パネル１１８が横６４０、縦４８０個の画素（ピクセル）を有する場合の例である。走査信号駆動部１１４と液晶パネル１１８は、４８１本の走査信号線（走査信号線−１、走査信号線０、走査信号線１、走査信号線２、、、走査信号線４７８、走査信号線４７９）により接続されている。データ信号駆動部１１６と液晶パネル１１８は、６４０×３＝１９２０本のデータ信号線（データ信号線０ａ、データ信号線０ｂ、データ信号線０ｃ、データ信号線１ａ、データ信号線１ｂ、データ信号線１ｃ、データ信号線２ａ、データ信号線２ｂ、データ信号線２ｃ、、、データ信号線６３９ａ、データ信号線６３９ｂ、データ信号線６３９ｃ）により接続されている。図４にお
いて、特徴的である点は、サブピクセルの上側の走査信号線により走査信号駆動部１１４と接続される場合と、サブピクセルの下側の走査信号線により走査信号駆動部１１４と接続される場合とがある点である。
【００４２】
実施例２に係る液晶パネルの駆動方法について説明する。
実施例１と同じく、まず、走査信号駆動部１１４が、走査信号線を順次選択する。次に、液晶駆動信号生成部１１３が選択されたサブピクセルの階調データをフレームメモリ部１１２から読み出す。そして、データ信号駆動部１１６が、該階調データを、データ信号線を介して選択されたサブピクセルに書き込む。
具体的には、本実施例では、第１の色（赤色）の全ての液晶素子に対する階調データの書き込みと第２の色（青色）の半分の液晶素子に対する階調データの書き込みが並列に行われる。その後、第３の色（緑色）の全ての液晶素子に対する階調データの書き込みと第２の色の残り半分の液晶素子に対する階調データの書き込みが並列に行われる。
以下、より詳細に説明する。なお、以下では、走査信号線１１５およびデータ信号線１１７の結線が実施例１とは異なることにより生じる、駆動方法の違いを中心に、説明する。
【００４３】
まず、走査信号駆動部１１４は、走査信号線０を選択する。それにより、走査信号線０に接続された１２８０個（第０ラインと第１ライン）のＲサブピクセルと６４０個（第０ライン）のＢサブピクセルが階調データの書き込みが可能な状態となる。次に、液晶駆動信号生成部１１３が、表示する映像の第０ラインと第１ラインのＲ階調データ、および第０ラインのＢ階調データをフレームメモリ部１１２から読み出し、データ信号駆動部１１６へ送信する。そして、データ信号駆動部１１６は、入力された階調データを、データ信号線を介して、選択されたサブピクセル（第０，１ラインのＲサブピクセルと第０ラインのＢサブピクセル）に書き込む。偶数番目の走査信号線（走査信号線２、走査信号線４、、走査信号線４７８）が順次選択され、同様の処理が行われる。
以上により、全てのＲサブピクセルと半数のＢサブピクセルとに階調データが書き込まれる。
【００４４】
次に、走査信号駆動部１１４は、走査信号線−１を選択する。それにより、走査信号線−１に接続された６４０個（第０ライン）のＧサブピクセルが階調データを書き込みが可能な状態となる。液晶駆動信号生成部１１３は、表示する映像の第０ラインのＧ階調データをフレームメモリ部１１２から読み出し、データ信号駆動部１１６へ送信する。データ信号駆動部１１６は、入力された階調データを、データ信号線を介して、選択されたサブピクセル（第０ラインのＧサブピクセル）に書き込む。
その後、走査信号駆動部１１４は、走査信号線１を選択する。それにより、走査信号線１に接続された１２８０個（第１ラインと第２ライン）のＧサブピクセルと６４０個（第１ライン）のＢサブピクセルが階調データを書き込みが可能な状態となる。次に、液晶駆動信号生成部１１３が、表示する映像の第１ラインと第２ラインのＧ階調データ、および第１ラインのＢ階調データをフレームメモリ部１１２から読み出し、データ信号駆動部１１６へ送信する。そして、データ信号駆動部１１６は、入力された階調データを、データ信号線を介して、選択されたサブピクセル（第１，２ラインのＧサブピクセルと第１ラインのＢサブピクセル）に書き込む。奇数番目の走査信号線（走査信号線３、走査信号線５、、、走査信号線４７７）を順次選択し、同様の処理が行われる。
次に、走査信号駆動部１１４は、走査信号線４７９を選択する。それにより、走査信号線４７９に接続された６４０個（第４７９ライン）のＧサブピクセルと６４０個（第４７９ライン）のＢサブピクセルが階調データを書き込みが可能な状態となる。液晶駆動信号生成部１１３は、表示する映像の第４７９ラインのＧ，Ｂ階調データをフレームメモリ部１１２から読み出し、データ信号駆動部１１６へ送信する。データ信号駆動部１１６は、入力された階調データを、データ信号線を介して、選択されたサブピクセル（第４７９ラ
インのＧ，Ｂサブピクセル）に書き込む。
以上により、全てのＧサブピクセルと半数のＢサブピクセルとに階調データが書き込まれる。
【００４５】
本実施例では、全体の（ほぼ）半数の走査信号線（走査信号線０、２、、、４７８）により、全Ｒサブピクセルを選択できることから、全サブピクセルに階調データを書き込むのに要する時間の１／２の時間で、全Ｒサブピクセルに階調データが書き込める。全体の（ほぼ）半数の走査信号線（走査信号線−１、１、、、４７９）により、全Ｇサブピクセルを選択できることから、全サブピクセルに階調データを書き込むのに要する時間の１／２の時間で、全Ｇサブピクセルに階調データが書き込める。全Ｒサブピクセルに階調データを書き込む期間と全Ｇサブピクセルに階調データを書き込む期間とにおいて、同時に全Ｂサブピクセルに階調データが書き込まれる。まとめると、図５の表のようになる。
【００４６】
図６に、実施例２における、表示装置１０１の動作、表示装置１０１が表示する映像、液晶シャッター付めがね１３１の動作および視聴者が知覚する映像の関係を示す。図６は、右眼映像のｎ−１番目のフレーム、左眼映像のｎ番目のフレーム、右眼映像のｎ番目のフレーム、左眼映像のｎ＋１番目のフレームを、時系列に表示する場合の例である。
表示装置動作３０１、Ｒ液晶画素３１１、Ｒ−ＬＥＤ３１２、Ｇ液晶画素３１３、Ｇ−ＬＥＤ３１４、Ｂ液晶画素３１５、Ｂ−ＬＥＤ３１６、表示映像３２１、液晶シャッター付めがね制御３３１、左眼シャッター３４１、右眼シャッター３４２、視聴者知覚映像３５１の定義は、実施例１と同じである。
【００４７】
以下、図６を用いて、表示装置１０１の動作、表示装置１０１が表示する映像、液晶シャッター付めがね１３１の動作および視聴者が知覚する映像の関係を説明する。左眼映像のｎ番目のフレームの表示に関わる期間Ｔ５７１〜Ｔ５８２内の各期間における動作について説明する。
【００４８】
（期間Ｔ５７１〜Ｔ５７２）
時刻Ｔ５７１において、Ｒ液晶画素３１１への左眼映像のｎ番目のフレームの階調データの書き込みが開始される。具体的には、階調データが、右眼映像のｎ−１番目のフレームの階調データから、左眼映像のｎ番目のフレームの階調データに書き換えられる。該書き込み（書き換え）は、時刻Ｔ５７２に完了する。よって、期間Ｔ５７１〜Ｔ５７２にＲ液晶画素３１１によって表示される映像は、右眼映像のｎ−１番目のフレームと左眼映像のｎ番目のフレームとが混在する映像となる。時刻Ｔ５７２以降は、Ｒ液晶画素３１１は、左眼映像のｎ番目のフレームの階調データだけを保持する状態となる。即ち、Ｒ液晶画素３１１への補正データの書き込みに要する期間Ｔ５７１〜Ｔ５７２は、図５の期間Ａに相当する。期間Ｔ５７１〜Ｔ５７２では、Ｒ−ＬＥＤ３１２は消灯状態とされる。そのため、書き込み途中のＲ映像は、表示映像３２１に含まれない。
【００４９】
また、時刻Ｔ５７１において、Ｂ液晶画素３１５への左眼映像のｎ番目のフレームの階調データの書き込みが開始される。具体的には、階調データが、右眼映像のｎ−１番目のフレームの階調データから、左眼映像のｎ番目のフレームの階調データに書き換えられる。該書き込み（書き換え）は、時刻Ｔ５７２でも完了しない。よって、期間Ｔ５７１〜Ｔ５７２にＢ液晶画素３１５によって表示される映像は、右眼映像のｎ−１番目のフレームと左眼映像のｎ番目のフレームとが混在する映像となる。時刻Ｔ５７２では、半数のＢサブピクセルが、右眼映像のｎ−１番目のフレームの階調データを保持し、残り半数のＢサブピクセルが左眼映像のｎ番目のフレームの階調データを保持する。期間Ｔ５７１〜Ｔ５７２では、Ｂ−ＬＥＤ３１６は消灯状態とされる。そのため、書き込み途中のＢ映像は、表示映像３２１に含まれない。
【００５０】
このとき、Ｇ液晶画素３１３には、右眼映像のｎ−１番目のフレームの階調データが書き込まれており、Ｇ−ＬＥＤ３１４は点灯状態である。
そのため、期間Ｔ５７１〜Ｔ５７２では、表示映像３２１として右眼映像のｎ−１番目のフレームの映像が表示される。具体的には、期間Ｔ５７１〜Ｔ５７２では、表示映像３２１として右眼映像のｎ−１番目のフレームのＧ映像が表示される。期間Ｔ５７１〜Ｔ５７２では、Ｒ−ＬＥＤ３１２とＢ−ＬＥＤ３１６は消灯状態であるため、右眼映像のｎ−１番目のフレームのＧ映像と左眼映像のｎ番目のフレームのＲ，Ｂ映像が混在することは抑制される。
左眼シャッター３４１は閉状態、右眼シャッター３４２は開状態である。
【００５１】
（期間Ｔ５７２〜Ｔ５７３）
期間Ｔ５７２〜Ｔ５７３では、Ｒ液晶画素３１１は、左眼映像のｎ番目のフレームの階調データを保持している。また、Ｒ−ＬＥＤ３１２は、時刻Ｔ５７２から点灯される。それにより、Ｒ映像が表示映像３２１に含まれる。
Ｇ液晶画素３１３は、期間Ｔ５７１〜Ｔ５７２におけるＲ液晶画素３１１と同様に、左眼映像のｎ番目のフレームの階調データの書き込み中である。Ｇ−ＬＥＤ３１４は、期間Ｔ５７１〜Ｔ５７２におけるＲ−ＬＥＤ３１２と同様に、消灯状態とされる。そのため、書き込み途中のＧ映像は、表示映像３２１に含まれない。
Ｂ液晶画素３１５には、期間Ｔ５７１〜Ｔ５７２に引き続き、左眼映像のｎ番目のフレームの階調データが書き込まれる。Ｂ−ＬＥＤ３１６は消灯状態である。そのため、書き込み途中のＢ映像は、表示映像３２１に含まれない。
よって、表示映像３２１は、左眼映像のｎ番目のフレームのＲ映像となる（図６における符号５６１）。
また、時刻Ｔ５７３において、Ｇ液晶画素３１３とＢ液晶画素３１５への補正データの書き込みが完了し、Ｇ液晶画素３１３とＢ液晶画素３１５は左眼映像のｎ番目のフレームの階調データだけを保持する状態となる。Ｇ液晶画素３１３への補正データの書き込みに要する期間Ｔ５７２〜Ｔ５７３は、図５の期間Ｂに相当する。また、Ｂ液晶画素３１５への補正データの書き込みに要する期間Ｔ５７１〜Ｔ５７３は、期間Ａと期間Ｂを足し合わせた期間に相当する。
時刻Ｔ５７２において、左眼シャッター３４１は開状態、右眼シャッター３４２は閉状態となる。
【００５２】
（期間Ｔ５７３〜Ｔ５８１）
期間Ｔ５７３〜Ｔ５８１では、Ｒ液晶画素３１１は、左眼映像のｎ番目のフレームの階調データを保持している。Ｒ−ＬＥＤ３１１は、点灯している。
Ｇ液晶画素３１３は、左眼映像のｎ番目のフレームの階調データを保持している。Ｇ−ＬＥＤ３１４は、期間Ｔ５７２〜Ｔ５７３におけるＲ−ＬＥＤ３１１と同様に、時刻Ｔ５７３から点灯される。それにより、Ｇ映像が表示映像３２１に含まれる。
Ｂ液晶画素３１５は、左眼映像のｎ番目のフレームの階調データを保持している。Ｂ−ＬＥＤ３１６は、期間Ｔ５７２〜Ｔ５７３におけるＲ−ＬＥＤ３１２と同様に、時刻Ｔ５７３から点灯される。それにより、Ｂ映像が表示映像３２１に含まれる。
よって、表示映像３２１は、左眼映像のｎ番目のフレームのＲ，Ｇ，Ｂ映像が合成された映像となる（図６における符号５６２）。
左眼シャッター３４１は開状態、右眼シャッター３４２は閉状態である。
【００５３】
（期間Ｔ５８１〜Ｔ５８２）
時刻Ｔ５８１において、Ｒ液晶画素３１１への右眼映像のｎ番目のフレームの階調データの書き込みが開始される。具体的には、階調データが、左眼映像のｎ番目のフレームの階調データから、右眼映像のｎ番目のフレームの階調データに書き換えられる。該書き込み（書き換え）は、時刻Ｔ５８２に完了する。よって、期間Ｔ５８１〜Ｔ５８２にＲ液晶
画素３１１によって表示される映像は、左眼映像のｎ番目のフレームと右眼映像のｎ番目のフレームとが混在する映像となる。時刻Ｔ５７２以降は、Ｒ液晶画素３１１は、右眼映像のｎ番目のフレームの階調データだけを保持する状態となる。期間Ｔ５８１〜Ｔ５８２では、Ｒ−ＬＥＤ３１２は消灯状態とされる。そのため、書き込み途中のＲ映像は、表示映像３２１に含まれない。
Ｇ液晶画素３１３は、左眼映像のｎ番目のフレームの階調データを保持している。Ｇ−ＬＥＤ３１４は、点灯している。
時刻Ｔ５８１において、Ｂ液晶画素３１５への右眼映像のｎ番目のフレームの階調データの書き込みが開始される。具体的には、階調データが、左眼映像のｎ番目のフレームの階調データから、右眼映像のｎ番目のフレームの階調データに書き換えられる。該書き込み（書き換え）は、時刻Ｔ５８２でも完了しない。よって、期間Ｔ５８１〜Ｔ５８２にＢ液晶画素３１５によって表示される映像は、左眼映像のｎ番目のフレームと右眼映像のｎ番目のフレームとが混在する映像となる。時刻Ｔ５８２では、半数のＢサブピクセルが、左眼映像のｎ番目のフレームの階調データを保持し、残りの半数のＢサブピクセルが右眼映像のｎ番目のフレームの階調データを保持する。期間Ｔ５８１〜Ｔ５８２では、Ｂ−ＬＥＤ３１６は消灯状態とされる。そのため、書き込み途中のＢ映像は、表示映像３２１に含まれない。
よって、表示映像３２１は、左眼映像のｎ番目のフレームのＧ映像となる（図６における符号５６３）。
左眼シャッター３４１は開状態、右眼シャッター３４２は閉状態である。
【００５４】
期間Ｔ５７１〜Ｔ５８２において、前述の動作を行うことにより、期間Ｔ５７２〜Ｔ５８２において、左眼映像のｎ番目のフレームの映像を表示することができる。そして、期間Ｔ５８１〜Ｔ５９２において、期間Ｔ５７１〜Ｔ５８２における動作と同様の動作（左右を逆転させた動作）を行うことにより、期間Ｔ５８２〜Ｔ５９２において、右眼映像のｎ番目のフレームの映像を表示することができる。この動作を繰り返し行うことにより、黒映像がフレーム間に表示されることなく、左眼映像と右眼映像を切り換えながら表示することができる。具体的には、左眼映像のｎ番目のフレーム、右眼映像のｎ番目のフレーム、左眼映像のｎ＋１番目のフレーム、右眼映像のｎ＋１番目のフレーム、、、のように、左眼映像と右眼映像を切り換えながら、表示することができる。
【００５５】
以上述べたように、本実施例によれば、第１の色の全ての液晶素子に対する階調データの書き込みと第２の色の半分の液晶素子に対する階調データの書き込みが並列に行われる。その後、第３の色の全ての液晶素子に対する階調データの書き込みと前記第２の色の残り半分の液晶素子に対する階調データの書き込みが並列に行われる。そのような構成にすることにより、液晶パネルが図４のような構成であっても、実施例１と同様の効果を得ることができる。
【００５６】
また、映像の赤色成分が視聴者に知覚される期間（Ｒ映像の表示期間）は、１フレーム当たり１フレーム期間の３／４である。従来技術において、黒映像が視聴者に知覚される期間を１フレーム当たり１フレーム期間の１／２とすると、映像の赤色成分が視聴者に知覚される期間は、１フレーム当たり１フレーム期間の１／２となる。よって、本実施例では、赤色成分の輝度が、従来技術の３／２倍となる。緑色成分の輝度も同様である。映像の青色成分が視聴者に知覚される期間（Ｂ映像の表示期間）は、１フレーム当たり１フレーム期間の１／２である。よって、青色成分の輝度は、従来技術と同じである。赤色成分の輝度と緑色成分の輝度が向上することにより、視聴者が知覚する映像の輝度を向上させることができる。
なお、赤色成分の輝度、緑色成分の輝度、青色成分の輝度が均一ではないため、表示映像のホワイトバランスは変化してしまう。そのため、各色のＬＥＤの個数やＬＥＤ１個当たりの発光量を調整することにより、１フレーム期間あたりの発光量が色間で互いに等し
くなるように設定されていることが好ましい。例えば、Ｒ，Ｇ映像の表示期間はＢ映像の表示期間よりも長くなるため、各色１個のＬＥＤの単位時間当たりの発光量が等しい場合には、赤色ＬＥＤと緑色ＬＥＤの個数を、青色ＬＥＤの個数よりも少なく設定すればよい。
【００５７】
なお、本実施例では、第１の色が赤色、第２の色が青色、第３の色が緑色である例を示した。即ち、Ｂサブピクセルへの階調データの書き込み期間が、Ｒサブピクセル、Ｇサブピクセルへの階調データの書き込み期間の２倍である例を示した。しかし、第１〜３の色はこれに限らない。例えば、第１の色が青色、第２の色が赤色、第３の色が緑色であってもよい。第１の色が赤色、第２の色が緑色、第３の色が青色であってもよい。
【符号の説明】
【００５８】
１０１  表示装置
１１４  走査信号駆動部
１１６  データ信号駆動部
１１８  液晶パネル
１２０  バックライト部
【図１】
2012150330.tif 000003
【図２】
2012150330.tif 000004
【図３】
2012150330.tif 000005
【図４】
2012150330.tif 000006
【図５】
2012150330.tif 000007
【図６】
2012150330.tif 000008